(57)【特許請求の範囲】
【請求項１】
通信機器を収納した分電盤において、分岐ブレーカの取付構造と同一の取付構造により前記通信機器を取り付け、また、主幹バーを第１の主幹バーと第２の主幹バーに分割して、第１の主幹バーに交流配電を行って分岐ブレーカを第２の主幹バーに直流配電を行って通信機器を接続したことを特徴とする通信機器収納型分電盤。
【請求項２】
交流配電を行った第１の主幹バーから電力変換装置を介して第２の主幹バーに直流配電を行った請求項１に記載の通信機器収納型分電盤。
【請求項３】
第２の主幹バーを上下に積設したものとして、通信機器の電源側接続部を前記第２の主幹バーに直接接続可能とした請求項1又は２に記載の通信機器収納型分電盤。
【発明の詳細な説明】
【０００１】
【発明の属する技術分野】
本発明は、ハブ、メディアコンバータ、ルータ、無線機器等の通信機器を収納した通信機器収納型分電盤に関するものである。
【０００２】
【従来の技術】
家庭内や事業所内において内外の情報通信ネットワーク間の通信路を接続するための通信機器を収納した分電盤としては、例えば、特許文献１に示すものがある。そして、通信機器への電力供給手段としては、配線用遮断器の負荷側端子部に電線を接続して行うものであった。また、通信機器の取り付けは鉄ベースや木ベースにねじ、結束バンド等の手段により行うのを普通とする。
【０００３】
【特許文献１】
実開平４−１３７４１３〔図１参照〕
【０００４】
【発明が解決しようとする課題】
ところが、前記した特許文献１に示すものは、交流配電をした配線用遮断器の負荷側端子部に通信機器の電線を直接接続したものであるため通信機器にＡＣアダプターを設けることが必要であり、また、通信機器の取り付けは鉄ベースにねじ、結束バンド等の手段により行うのを普通とするため取付作業が厄介なものであったため、分電盤内に通信機器を設置するのに手間がかかっていた。
【０００５】
【課題を解決するための手段】
前記の課題を解決するためになされた本発明の通信機器収納型分電盤は、通信機器を収納した分電盤において、分岐ブレーカの取付構造と同一の取付構造により前記通信機器を取り付け、また、主幹バーを第１の主幹バーと第２の主幹バーに分割して、第１の主幹バーに交流配電を行って分岐ブレーカを第２の主幹バーに直流配電を行って通信機器を接続したことを特徴とするものを請求項１に記載の発明とし、この発明において、交流配電を行った第１の主幹バーから電力変換装置を介して第２の主幹バーに直流配電を行ったものを請求項２に記載の発明とし、また、前記請求項１、２の発明において、第２の主幹バーを上下に積設したものとして、通信機器の電源側接続部を前記第２の主幹バーに直接接続可能としたものを請求項３に記載の発明とする。
【０００６】
【０００７】
【発明の実施の形態】
次に、本発明の実施の形態を図により説明する。
【０００８】
【０００９】
【００１０】
【００１１】
【００１２】
【００１３】
図１から図９に基づき請求項１から３に記載に係る発明の実施形態につき説明する。
１は主幹ブレーカ２の二次側端子部にリードバーを介して接続した主幹バーであり、該主幹バー１の側方には取付台８に取り付けた分岐ブレーカ３が多数配設されている。これらの分岐ブレーカ３の取付台８への取付構造はねじ止め等の手段によらず分岐ブレーカ３の下面と取付台８とが所謂ワンタッチ構造となっている。
【００１４】
すなわち、図３、図４に示すように取付台８は該取付台８の基端に達するように透設した並行させた２個一組の基端側抜き孔８１、８１の隣り合う孔縁により一組の第１レール部８１ａ、８１ａを形成するとともにこれと同一線上に該取付台８の中央側に透設した並行させた２個一組の中央側抜き孔８２、８２の隣り合う孔縁により一組の第２レール部８２ａ、８２ａを形成し、また、前記中央側抜き孔８２、８２の基端に拡大孔部８３を形成したうえ第１レール部８１ａ、８１ａの間にロック孔８４を設けている。
【００１５】
また、分岐ブレーカ３はその下面の前後両側に対向して前記第１レール部８１ａ、８１ａ及び第２レール部８２ａ、８２ａに係合する第１横溝レール部３１ａ、３１ａを及び第２横溝レール部３２ａ、３２ａを設けたものである。そして、図５（Ａ）に示す状態から図５（Ｂ）に示す分岐ブレーカ３の第１横溝レール部３１ａ、３１ａを前記第１レール部８１ａ、８１ａの後部に第２横溝レール部３２ａ、３２ａを第２レール部８２ａ、８２ａの後部の拡大孔部８３に位置させたうえ該分岐ブレーカ３を図５（Ｃ）に示すように取付台８の中央側に摺動させて取付台８の第１レール部８１ａ、８１ａと第２レール部８２ａ、８２ａに第１横溝レール部３１ａ、３１ａと第２横溝レール部３２ａ、３２ａを係合させたうえ図５（Ｄ）に示すように分岐ブレーカ３の後端に設けたロック部材３３を取付台８に設けたロック孔８４に係合させて取付台８にワンタッチにより取り付けるものである。
【００１６】
４は分電盤の付属機器取付部に取り付けて分電盤に収納した通信機器であり、該通信機器４としてはハブ、メディアコンバータ、ルータ等がある。そして、通信機器４は、前記分岐ブレーカ３と同様の取付構造により分電盤に取り付けられている。すなわち、図６、７及び８に示すように付属機器取付部は前記取付台８と同様の構成として通信機器４には第１レール部８１ａ、８１ａと第２レール部８２ａ、８２ａに摺動自在に係合する横溝レール部３１ａ、３２ａがその両側に設けられているとともにロック孔８４に係合するロック部材３３が設けられているので、前記図５に示すように取り付ければよいもいのである。これにより、通信機器の取り付けのためのねじ、結束バンド等が不要となるものであり、分電盤内に通信機器４を設置するのが容易になり、また、予め分岐ブレーカ増設用の取付台８を設たものにあってはこれを付属機器取付部として利用すればよいものである。
【００１７】
なお、分岐ブレーカ３に接続した交流配電用の主幹バー１を延長して通信機器４に接続するものとした場合には、通信機器４にＡＣアダプターを設けたものとしておくことは勿論である。また、主幹バー１を図７に示すように第１の主幹バー１ａと第２の主幹バー１ｂに分割して、第１の主幹バー１ａに分岐ブレーカ３を第２の主幹バー２ｂに通信機器４を接続して、この分割した第２の主幹バー１ｂを通信機器４を取り付ける取付台８に取り付けて、取付台８とこれに取り付けられる第２の主幹バー１ｂ及び通信機器４をもって一組の通信機器ユニットを構成して分電盤内に一括して設置、交換できるものとすることにより、ブレーカ等の配電機器に比べてライフサイクルが短く短期間に交換する必要のある通信機器に対応できるものである。
【００１８】
また、主幹バー１を第１の主幹バー１ａと第２の主幹バー１ｂに分割して第１の主幹バー１ａに交流配電を第２の主幹バー１ｂに直流配電を行えば、通信機器毎にＡＣアダプターを不要とすることができる。この場合に直流電源としては太陽電池、燃料電池等に接続してもよく、また、交流配電を行った第１の主幹バー１ａから電力変換装置を介して第２の主幹バー１ｂに直流配電を行ってもよい。この電力変換装置により直流配電を行う場合には分岐ブレーカ３にＡＣアダプターを内蔵させてこれのプラグ受部５と第２の主幹バー１ｂを電源線により接続することが好ましいものであり、さらに、直流電圧を例えば６Ｖ、９Ｖ、１２Ｖ等に選択できるように直流電圧の選択部７を設けたり、出力の異なる複数の直流電圧出力のプラグ受部５を設けることにより、直流電圧値の異なる通信機器に対応できるものである。また、分電盤の外部に電力変換装置を設置して分岐ブレーカ３の負荷端子と電線により接続したうえ再び分電盤内に電線を引き込んで第２の主幹バー１ｂに接続したものであってもよい。
【００１９】
また、図９に示すように３本の主幹バー１を上下に積設したものとして、通信機器４の電源側接続部を前記主幹バー１に直接接続可能にすなわち、電源側接続部をプラグイン式とすることにより、前記したとおり通信機器４に第１レール部８１ａ、８１ａと第２レール部８２ａ、８２ａに摺動自在に係合する横溝レール部３１ａ、３２ａを設けるとともにロック孔８４に係合するロック部材３３を設けものとすることにより、通信機器４のプラグイン端子を主幹バー１に横方向から嵌合することにより主幹バー１との接続と取付台８への取り付けが同時行うことができるものである。
【００２０】
なお、直流配電を行う３本の第２の主幹バー１ｂを上下に積設した場合にはそのうち上下のどちらか１本をアース線用として残りの２本を異なる直流電圧線用とすることにより、通信機器４のアース線用に対応するプラグイン端子を固定として、直流電圧線用のプラグイン端子を２本の異なる直流電圧線用の主幹バー１ｂと選択的に接続できるものとして、通信機器に応じた的確な定格電圧を供給できるものとしている。このようなものでは交流配電用の主幹バーのセットをそのまま使用することもできるし、直流配電が１つの電圧の場合は第２の主幹バー１ｂは２本として部品の削減をすることもできる。
【００２１】
【発明の効果】
以上の説明のとおり、請求項１に記載の発明にあっては、分岐ブレーカの取付構造と同一の取付構造により通信機器を取り付けたものであるから、通信機器の取り付けのためのねじ、結束バンド等が不要となり、分電盤内に通信機器を設置するのが容易になるり、また、主幹バーを第１の主幹バーと第２の主幹バーに分割して、第１の主幹バーに交流配電を行って分岐ブレーカを第２の主幹バーに直流配電を行って通信機器を接続したので、通信機器をユニット化でき、このユニットごとに交換できるものである。また、請求項２に記載の発明にあっては、各々の通信機器にＡＣアダプタを設けることが不要となる。また、請求項３に記載の発明にあっては、第２の主幹バーを上下に積設したものとして、通信機器の電源側接続部を前記主幹バーに直接接続可能としたので、ワンタッチで接続できるうえ、交流配電用の主幹バーセットをそのまま使用できるものである。
【００２２】
従って、本発明の通信機器収納型分電盤の問題点を解決したものとして、その益大なものである。
【図面の簡単な説明】
【図１】本発明の実施形態を示す斜視図である。
【図２】本発明の実施形態を示す斜視図である。
【図３】本発明の実施形態の分岐ブレーカの取付構造を示す斜視図である。
【図４】本発明の実施形態の分岐ブレーカの取付構造を示す正面図である。
【図５】本発明の実施形態の分岐ブレーカの取付工程を示す下面側斜視図であり、（Ａ）は取付前、（Ｂ）、（Ｃ）は取付作業中、（Ｄ）は取付後を示すものである。
【図６】本発明の実施形態の通信機器の取付工程を示す上面側斜視図である。
【図７】本発明の実施形態の通信機器の取付工程を示す下面側斜視図である。
【図８】本発明の実施形態の通信機器の取付後を示す下面側斜視図である。
【図９】本発明の実施形態の内部機構を省略して通信機器の取付構造を示す断面図である。
【符号の説明】
１ 主幹バー
２ 主幹ブレーカ
３ 分岐ブレーカ
４ 通信機器
５ プラグ受部
６ 直流電圧の選択部
【図１】
0004318247.tif 000002
【図２】
0004318247.tif 000003
【図３】
0004318247.tif 000004
【図４】
0004318247.tif 000005
【図５】
0004318247.tif 000006
【図６】
0004318247.tif 000007
【図７】
0004318247.tif 000008
【図８】
0004318247.tif 000009
【図９】
0004318247.tif 000010